(57)【要約】【課題】軒樋内への鳥の侵入を抑制して、軒樋とその上方の軒樋カバー部材を利用した巣作りが行われることを抑制できる軒先構造を提案すること。【解決手段】本発明の軒先構造は、鼻隠し板１に並べて取り付けた複数の支持具２によって軒樋３を鼻隠し板１から離して屋根軒側先端４０の下方に支持し、軒樋３の屋外側上端部３３と屋根軒側先端４０との間に軒樋カバー部材５を配した軒先構造である。この軒先構造では、鼻隠し板１のうち支持具２よりも上方の部位に第一取付具６を取り付け、軒樋３の屋内側に位置する後壁３２に第二取付具７を取り付ける。そして、覆い部材８の一端部を第一取付具６に取り付け、覆い部材８の他端部を第二取付具７に取り付けて、横並びの支持具２間にて軒樋３と鼻隠し板１との間に形成される隙間Ｓから軒樋３内へと至る侵入経路を覆い部材８によって塞ぐ。【選択図】図１
2014058787.tif 000002
【特許請求の範囲】
【請求項１】
鼻隠し板に並べて取り付けた複数の支持具によって、軒樋を前記鼻隠し板から離して屋根軒側先端の下方に支持し、前記軒樋の屋外側上端部と前記屋根軒側先端との間に、軒樋カバー部材を配した軒先構造であって、
前記鼻隠し板のうち前記支持具よりも上方の部位に第一取付具を取り付け、
前記軒樋の屋内側に位置する後壁に第二取付具を取り付け、
覆い部材の一端部を前記第一取付具に取り付け、前記覆い部材の他端部を前記第二取付具に取り付けて、横並びの前記支持具間にて前記軒樋と前記鼻隠し板との間に形成される隙間から前記軒樋内へと至る侵入経路を前記覆い部材によって塞ぐことを特徴とする軒先構造。
【請求項２】
前記支持具は、
前記鼻隠し板に固定される固定部と、この固定部から屋外側に突出する突出部とを備え、この突出部の下方で前記軒樋の前記後壁の上端部を支持し、
前記覆い部材の前記他端部には、前記突出部を屋外側に突出させるためのスリットを設けたことを特徴とする請求項１に記載の軒先構造。
【請求項３】
前記覆い部材は、網体であることを特徴とする請求項１または２に記載の軒先構造。
【発明の詳細な説明】
【技術分野】
【０００１】
本発明は、軒樋内への鳥の侵入を抑制するための軒先構造に関するものである。
【背景技術】
【０００２】
特許文献１には、軒樋本体内への落ち葉や雪の塊等の侵入を抑制するための軒樋カバー部材を、軒樋本体上方に配した軒樋支持構造が提案されている。
【０００３】
この軒樋支持構造では、屋根先端の下方に軒樋本体を配置するために、軒先の壁に固定した複数の支持具本体によって、軒樋本体を軒先の壁から離して支持している。
【先行技術文献】
【特許文献】
【０００４】
【特許文献１】特開２００９−９１７９８号公報
【発明の概要】
【発明が解決しようとする課題】
【０００５】
しかし、上述した軒樋支持構造のように、軒樋本体を軒先の壁から離して支持した場合、横並びの支持具本体間にて軒樋本体と軒先の壁との間に隙間が形成される。そのため、この隙間から雀等の鳥が侵入し、軒樋カバー部材を屋根に利用して軒樋本体内に巣作りを行うといった問題が発生する場合がある。
【０００６】
そこで、上記問題を鑑みて、本発明は、軒樋内への鳥の侵入を抑制して、軒樋とその上方の軒樋カバー部材とを利用した巣作りが行われることを抑制することができる軒先構造を提案することを課題とする。
【課題を解決するための手段】
【０００７】
上記課題を解決する本発明の軒先構造は、鼻隠し板に並べて取り付けた複数の支持具によって、軒樋を前記鼻隠し板から離して屋根軒側先端の下方に支持し、前記軒樋の屋外側上端部と前記屋根軒側先端との間に、軒樋カバー部材を配した軒先構造であって、前記鼻隠し板のうち前記支持具よりも上方の部位に第一取付具を取り付け、前記軒樋の屋内側に位置する後壁に第二取付具を取り付け、覆い部材の一端部を前記第一取付具に取り付け、前記覆い部材の他端部を前記第二取付具に取り付けて、横並びの前記支持具間にて前記軒樋と前記鼻隠し板との間に形成される隙間から前記軒樋内へと至る侵入経路を前記覆い部材によって塞ぐことを特徴とする。
【０００８】
また、前記支持具は、前記鼻隠し板に固定される固定部と、この固定部から屋外側に突出する突出部とを備え、この突出部の下方で前記軒樋の前記後壁の上端部を支持し、前記覆い部材の前記他端部には、前記突出部を屋外側に突出させるためのスリットを設けることが好ましい。
【０００９】
また、前記覆い部材は、網体であることが好ましい。
【発明の効果】
【００１０】
本発明の軒先構造は、鼻隠し板に取り付けた第一取付具と、軒樋の屋内側の後壁に取り付けた第二取付具に、覆い部材を取り付けることで、横並びの支持具間にて軒樋と鼻隠し板との間に形成される隙間から軒樋内へと至る侵入経路を覆い部材によって塞ぐことができる。これにより、軒樋内への鳥の侵入を抑制でき、軒樋とその上方の軒樋カバー部材とを利用した巣作りが行われることを抑制することができる。
【図面の簡単な説明】
【００１１】
【図１】本発明の実施形態の軒先構造を概略的に示す側面図である。
【図２】同上の軒先構造における覆い部材の取り付け状態を示し、（ａ）は支持具の周囲を示す斜視図であり、（ｂ）は軒樋の後耳部の周囲を示す側面図である。
【図３】同上の軒先構造に用いられる覆い部材の平面図である。
【発明を実施するための形態】
【００１２】
本発明を添付図面に示す実施形態に基づいて説明する。
【００１３】
図１には、本発明の実施形態の軒先構造が示されている。本実施形態の軒先構造では、軒樋３の上方に、軒樋３内への落ち葉や積雪の塊等の侵入を抑制するための軒樋カバー部材５を配している。そして、鼻隠し板１に並べて取り付けた複数の支持具２によって、軒樋３を鼻隠し板１から離して支持し、この軒樋３を屋根４の軒側先端４０の下方に配置している。以下、鼻隠し板１に対して軒樋３が位置する側を屋外側もしくは前側といい、その反対側を屋内側もしくは後側という。また、この前後方向に直交する方向である軒樋３の長手方向を左右方向という。
【００１４】
鼻隠し板１は、左右方向に長尺な長板状である。鼻隠し板１には、その長手方向に沿って複数の支持具２が略一直線状に並べて取り付けられている。各支持具２は、隣に配置される支持具２との間に距離を空けて配置される。この複数の支持具２によって軒樋３は、その長手方向の略全長に亘って支持され、鼻隠し板１と略平行に配置される。
【００１５】
本実施形態の軒先構造では、屋根４の軒側先端４０の屋内側の近傍箇所から水切り板９を垂下させて設けている。水切り板９は、屋根４を伝って鼻隠し板１へと雨水が流れることを抑制するためのものである。水切り板９は、屋根４の軒側先端４０の長手方向（左右方向）の略全長に亘って設けられる。水切り板９の下端部は、屋内側上方に向けて折れ曲がっている。なお、水切り板９は、屋根４の軒側先端４０の長手方向の長さと略同じ長さのものであってもよいし、屋根４の軒側先端４０の長手方向に沿って、部分水切り板を複数並べて設けたものであってもよい。この部分水切り板とは、図１に示す側面形状を備え、左右方向の長さが、屋根４の軒側先端４０の長手方向の長さよりも短くなるように形成したものである。
【００１６】
軒樋３は、底壁３０と、底壁３０の屋外側の端部から上方に立ち上げた前壁３１と、底壁３０の屋内側の端部から上方に立ち上げた後壁３２とを備える。前壁３１の上端部には、屋内側に向けて突出した前耳部３４を備え、後壁３２の上端部には、屋内側に向けて突出した後耳部３５を備える。前耳部３４と後耳部３５はそれぞれ略角筒状をなしている。前耳部３４と前壁３１の上端部との間には、下方に開口した差込溝３６を備えている。また、後耳部３５の底部には、下方に開口した係止溝３７を備えている。この前壁３１の上端部と前耳部３４と差込溝３６とを含む箇所が、軒樋３の屋外側上端部３３である。
【００１７】
支持具２は、鼻隠し板１に固定される固定部２０と、固定部２０から屋外側に突出する突出部２１と、突出部２１の先端部に前後方向にスライド自在に取り付けられた支持アーム２２と、支持アーム２２を突出部２１に固定する位置固定部２３とを備える。支持具２は、支持アーム２２のスライド位置を前後に調整することによって、鼻隠し板１から屋根軒側先端４０までの前後距離に対応して、軒樋３を屋根軒側先端４０の下方に支持することができる。そして、支持具２は、位置固定部２３によって支持アーム２２を突出部２１の先端部に固定することで、支持アーム２２の前後位置、つまりは、軒樋３の支持位置が決まる。支持具２は、固定部２０がネジ等の固定手段によって鼻隠し板１に固定される。支持具２の突出部２１及び支持アーム２２の左右方向の幅は、例えば２ｃｍ程度であるが、求める強度等に応じて適宜設定可能である。
【００１８】
支持アーム２２は、前端部に軒樋３の前耳部３４を支持する前支持部２４を備える。そして、支持アーム２２は、後端部に軒樋３の後耳部３５を支持する後支持部２５を備える。前支持部２４は、軒樋３の前壁３１と前耳部３４との間の差込溝３６に下方から差し込まれて、前耳部３４を支持する。また、後支持部２５は、側面視において前後反転した略Ｌ字状をなしている。後支持部２５は、その下端部から当接部２６が下方に向けて突出している。そして、後支持部２５には、上方に突出する係止片が形成されている。後支持部２５によって後耳部３５を支持する際に、この係止片が後耳部３５の底部の係止溝３７に係止され、当接部２６が後壁３２の後面に当接することで、後支持部２５は後耳部３５を安定して支持することができる。
【００１９】
支持具２の位置固定部２３には、軒樋カバー部材５を支持する保持部５０が取り付けられる。保持部５０は、その下端部が位置固定部２３によって突出部２１の先端部（前端部）に固定される。そして、保持部５０は、その上端部に軒樋カバー部材５が取り付けられる。保持部５０は、複数の支持具２全てまたはその一部に取り付けられる。なお、保持部５０の上端部は、軒樋カバー部材５を保持する形状であれば、どのような形状であってもよい。本実施形態では、保持部５０の上端部は略Ｔ字状をなし、この略Ｔ字状の上端部が嵌り込む嵌合溝５１が軒樋カバー部材５の下面に形成されている。
【００２０】
軒樋カバー部材５は、軒樋３の長手方向（左右方向）の長さと略同じ長さの長尺な板状部材で構成される。そして、軒樋カバー部材５は、左右方向に並ぶ複数の保持部５０によって支持される。なお、軒樋カバー部材５は、複数の部分カバー部材を軒樋３の長手方向に並べて配置するものであってもよい。この部分カバー部材とは、図１に示す側面形状を備え、左右方向の長さが、軒樋３の長手方向（左右方向）の長さよりも短くなるように形成したものである。この場合、複数の部分カバー部材それぞれを支持する保持部５０の数は、１つであってもよいし、２つ以上であってもよい。
【００２１】
軒樋カバー部材５は、軒樋３の長手方向（左右方向）の略全長に亘って、軒樋３の上方を覆う。そして、軒樋カバー部材５は、屋根軒側先端４０と軒樋３の屋外側上端部３３との間に、僅かな水落下用の隙間を介して配置される。これにより、軒樋カバー部材５と屋根軒側先端４０との間には、屋根４を伝って流れる雨水を軒樋３内へと流れ落とすための小さな隙間が形成される。そして、軒樋カバー部材５と軒樋３の屋外側上端部３３との間には、軒樋カバー部材５を伝って流れる雨水を軒樋３内へと流れ落とすための小さな隙間が形成される。
【００２２】
本実施形態では、軒樋カバー部材５を、屋根軒側先端４０と軒樋３の屋外側上端部３３とを結ぶ線に沿うように傾斜させて配置している。なお、軒樋カバー部材５は、軒樋３内への落ち葉や積雪の塊や鳥等の侵入を抑制できるように配置されればよく、上述の設置方法に限定されない。
【００２３】
以上説明した本実施形態の軒先構造では、軒樋３を支持具２によって鼻隠し板１から離して支持することによって、左右方向に横並びの支持具２間にて、軒樋３と鼻隠し板１との間に隙間Ｓが形成される。そして、軒樋３の上方に軒樋カバー部材５を軒樋３から離して配置することによって、軒樋３は、雨が直接降り込みにくい環境となる。そのため、軒樋３は、隙間Ｓから侵入した雀等の鳥が巣作りしやすい環境となる。
【００２４】
隙間Ｓを介して軒樋３内に鳥が侵入することを抑制するために、本実施形態の軒先構造はさらに、隙間Ｓから軒樋３内へと至る侵入経路を塞ぐための覆い部材８を備えている。覆い部材８は、第一取付具６及び第二取付具７によって、この侵入経路上に配置される。
【００２５】
図２（ａ）には、覆い部材８の取り付け状態が示されている。覆い部材８は、軒樋３の長手方向に長尺なシート部材である。覆い部材８は、軒樋３の長手方向の長さと略同じ長さのものであってもよいし、軒樋３の長手方向に並べて配置される複数の部分覆い部材から構成してもよい。覆い部材８としては、図３に示すように、鳥よりもサイズの小さい網目８０を多数備えた網体であることが好ましい。このように覆い部材８を網体とすることで、覆い部材８は隙間Ｓに流れ込む風によって設置位置から外れにくいものとなる。なお、この網体からなる覆い部材８としては、市販されている金網や樹脂製のネット等を使用することができる。
【００２６】
また、覆い部材８は、網目８０を有さないシート部材であってもよい。その場合、覆い部材８は、隙間Ｓに流れ込む風によって設置位置から外れないように、例えば第一取付具６及び第二取付具７への取り付け強度を強くすればよい。
【００２７】
覆い部材８は、図２（ａ）に示すように、支持具２の突出部２１を屋外側に突出させるためのスリット８１を備える。このスリット８１は、覆い部材８の短手方向の一端部から他端部に向けて切り込みを２箇所入れることによって形成される。このスリット８１の左右幅は、支持具２の突出部２１や支持アーム２２の左右幅と略同じに形成される。
【００２８】
覆い部材８は、２箇所の切り込み間に位置する部分を、第一部位８２とし、この第一部位８２の右側に並ぶ部位を第二部位８３とし、第一部位８２の左側に並ぶ部位を第三部位８４とする。覆い部材８は、短手方向の一端側（図２（ａ）における下側）に第一部位８２、第二部位８３、第三部位８４を備え、短手方向の他端側（図２（ａ）における上側）に連続した帯状の第四部位８５を備える。覆い部材８は、軒樋３の長手方向（左右方向）の長さと略同じ長さのものである場合、第二部位８３の左右方向の長さと、第三部位８４の左右方向の長さは、配置される箇所の両脇に位置する２つ支持具２間の距離と同じである。
【００２９】
覆い部材８は、複数の支持具２に跨って配置される際に、第一部位８２が支持具２の突出部２１の上面２１０上に沿わして配置され、第二部位８３と第三部位８４が、左右に横並びの支持具２の突出部２１間に垂らして配置される。
【００３０】
覆い部材８は、支持具２の数と同数のスリット８１を備える。つまり、覆い部材８が軒樋３の長手方向の長さと略同じ長さのものである場合、軒樋３を支持する支持具２の個数と同数のスリット８１を覆い部材８は備える。覆い部材８を、軒樋３の長手方向に並べて配置される複数の部分覆い部材で構成する場合、各部分覆い部材は跨ぐ支持具２の個数と同数のスリット８１を備える。なお、左右に隣り合う覆い部材８は、左右方向に略隙間なく配置されるか、端部同士を前後に重ねて配置することが好ましい。このように配置可能なように、各部分覆い部材の最も左に位置するスリットから部分覆い部材の左端までの長さと、部分覆い部材の最も右に位置するスリットから部分覆い部材の右端までの長さはそれぞれ設定される。
【００３１】
第一取付具６は、図１に示すように、鼻隠し板１のうち支持具２の突出部２１よりも上方の部位に取り付けられる。第一取付具６は、覆い部材８の長さに対応させて、鼻隠し板１の長手方向に亘って複数取り付けられる。第一取付具６は、図２（ａ）に示すように、頭部に例えば側面視Ｃ字状のフック６０のついた木ネジである。なお、フック６０の形状は側面視Ｃ字状に限定されない。この頭部にフック６０の付いた木ネジからなる第一取付具６としては、市販のものを使用可能である。なお、第一取付具６は、覆い部材８の短手方向の一端部である上端部を鼻隠し板１に接触させて固定または鼻隠し板１の近傍に位置固定できるものであれば、他の取付手段であってもよい。例えば、第一取付具６は、大径の頭部を備える木ネジであってもよい。
【００３２】
第二取付具７は、左右方向に横並びの支持具２間において軒樋３の後耳部３５に取り付けられる。第二取付具７は、支持具２の数に対応して、横並びの支持具２間毎に取り付けられる。第二取付具７は、図２（ａ）及び図２（ｂ）に示すように、下向きに開口する略Ｕ字状のクリップであり、軒樋３の内側に配される板状の部位７０に、覆い部材８を引っ掛けるための引っ掛け部７１を備える。
【００３３】
本実施形態では、引っ掛け部７１は、図２（ｂ）に示すように、上方に向けて突出しており、軒樋３の内側に凸の側面視円弧の断面形状を有する。この引っ掛け部７１の基部側の部位７１０の下部に、覆い部材８が引っ掛かることで、覆い部材８は引っ掛け部７１に係止される。
【００３４】
また、第二取付具７は、軒樋３の外側に配される板状の部位７２の下端部から、部位７０側に凸の側面視円弧の断面形状を有するガイド部７３が形成されている。また、部位７２の下端部には、前方上向きに突出する係止用突部７４が形成されている。第二取付具７は、後耳部３５に取り付けた状態でこの係止用突部７４が後耳部３５の底部の係止溝３７に係止されることで、第二取付具７が後耳部３５から外れにくくなる。
【００３５】
覆い部材８は、上述した複数の第一取付具６に第四部位８５を引っ掛けて取り付け、複数の第二取付具７にそれぞれ、第二部位８３あるいは第三部位８４を引っ掛けて取り付ける。第一取付具６と第二取付具７によって、覆い部材８は上下方向に張った状態で保持することができる。このように取り付けることで、覆い部材８は、鼻隠し板１のうち支持具２よりも上方部位から軒樋３の後壁３２の後耳部３５までの間を覆うことができる。これにより、覆い部材８は、隙間Ｓから軒樋３内へと至る鳥の侵入経路を塞ぐことができ、軒樋３内への鳥の侵入を抑制して、軒樋３とその上方の軒樋カバー部材５とを利用した巣作りが行われることを抑制することができる。
【００３６】
また、本実施形態の軒先構造では、覆い部材８にスリット８１を形成して、このスリット８１から支持具２の突出部２１を屋外側に突出させるようにしたことで、覆い部材８を第二取付具７に対して取り付ける際、突出部２１及び支持アーム２２が邪魔になりにくい。
【００３７】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００３８】
１      鼻隠し板
２      支持具
３      軒樋
５      軒樋カバー部材
６      第一取付具
７      第二取付具
８      覆い部材
３２    後壁
３３    屋外側上端部
４０    屋根軒側先端
Ｓ      隙間
【図１】
2014058787.tif 000003
【図２】
2014058787.tif 000004
【図３】
2014058787.tif 000005